(57)【要約】      （修正有）【課題】送信電力を制御し、送信キャリアを優先付けるための技術を提供する。【解決手段】送信電力が制限されたユーザ機器（ＵＥ）の場合において、無線通信を送信するために割り当てられたキャリアの集合の優先度を決定する。この優先度に従って、キャリアの集合のうちの複数のキャリアのための送信電力を調節する。１または複数のキャリアにわたる、異なる物理レイヤ・チャネルのための電力分配の方法がサポートされる。単数および複数の電力増幅器／アンテナを用いたＵＥの動作モードがサポートされうる。【選択図】図５
2014042301.tif 000002
【特許請求の範囲】
【請求項１】
無線通信のための方法であって、
無線信号を送信するために割り当てられたキャリアの集合の優先度を決定することと、
前記優先度にしたがって、前記キャリアの集合のうちの複数のキャリアのための送信電力を調節することと、
前記送信電力にしたがって、１または複数のアンテナを用いて、前記キャリアのうちの１または複数で信号を送信することと、
を備える方法。
【請求項２】
前記優先度を決定することは、前記キャリアの集合のうちの複数のキャリアのおのおののために、１または複数の優先レベルを選択することを備える、請求項１に記載の方法。
【請求項３】
前記優先度を決定することは、１または複数のアップストリーム・ネットワーク構成要素から前記優先度を受信することを備える、請求項１に記載の方法。
【請求項４】
前記送信電力を調節することは、前記キャリアのおのおのにおいてチャネルの送信電力を調節することを備える、請求項１に記載の方法。
【請求項５】
前記チャネルは、物理アップリンク制御チャネル（ＰＵＣＣＨ）および物理アップリンク共有チャネル（ＰＵＳＣＨ）を備える、請求項４に記載の方法。
【請求項６】
前記ＰＵＣＣＨは、前記ＰＵＳＣＨの前に、前記優先度にしたがって、前記１または複数のキャリアによる送信のために適合される、請求項５に記載の方法。
【請求項７】
前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、請求項５に記載の方法。
【請求項８】
前記ＰＵＳＣＨにおいて、データとともに、前記１または複数のキャリアで、制御情報を送信することは、前記ＰＵＳＣＨにおいて純粋なデータを送信することよりも高い優先度を有する、請求項５に記載の方法。
【請求項９】
前記送信電力に関連付けられた制約によって、前記ＰＵＳＣＨをドロップすることをさらに備える、請求項５に記載の方法。
【請求項１０】
ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおけるレギュラ・データの送信、または、前記ＰＵＣＣＨの送信、のうちの少なくとも１つよりも高い優先度を有する、請求項５に記載の方法。
【請求項１１】
前記送信することは、
前記信号のうち最も高い優先度を有する信号のうちの第１の信号を、前記キャリアのうちの第１のキャリアで送信することと、
前記第１の信号よりも低い優先度を持つ信号のうちの１または複数を、前記第１のキャリアの無いキャリアのセットで送信することと、
を備える請求項１に記載の方法。
【請求項１２】
前記第１のキャリアによる物理アップリンク共有チャネル（ＰＵＳＣＨ）の送信は、前記セットからの１または複数のキャリアによるＰＵＳＣＨの送信よりも高い優先度を有する、請求項１１に記載の方法。
【請求項１３】
無線通信のための装置であって、
少なくとも１つのプロセッサと、前記少なくとも１つのプロセッサに接続されたメモリとを備え、
前記少なくとも１つのプロセッサは、
無線信号を送信するために割り当てられたキャリアの集合の優先度を決定し、
前記優先度にしたがって、前記キャリアの集合のうちの複数のキャリアのための送信電力を調節し、
前記送信電力にしたがって、１または複数のアンテナを用いて、前記キャリアのうちの１または複数で信号を送信する、
ように構成された装置。
【請求項１４】
前記少なくとも１つのプロセッサはまた、前記キャリアの集合のうちの複数のキャリアのおのおののために、１または複数の優先レベルを選択するように構成された、請求項１３に記載の装置。
【請求項１５】
前記少なくとも１つのプロセッサはまた、１または複数のアップストリーム・ネットワーク構成要素から前記優先度を受信するように構成された、請求項１３に記載の装置。
【請求項１６】
前記少なくとも１つのプロセッサはまた、前記キャリアのおのおのにおいてチャネルの送信電力を調節するように構成された、請求項１３に記載の装置。
【請求項１７】
前記チャネルは、物理アップリンク制御チャネル（ＰＵＣＣＨ）および物理アップリンク共有チャネル（ＰＵＳＣＨ）を備える、請求項１６に記載の装置。
【請求項１８】
前記ＰＵＣＣＨは、前記ＰＵＳＣＨの前に、前記優先度にしたがって、前記１または複数のキャリアによる送信のために適合される、請求項１７に記載の装置。
【請求項１９】
前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、請求項１７に記載の装置。
【請求項２０】
前記ＰＵＳＣＨにおいて、データとともに、前記１または複数のキャリアで、制御情報を送信することは、前記ＰＵＳＣＨにおいて純粋なデータを送信することよりも高い優先度を有する、請求項１７に記載の装置。
【請求項２１】
前記少なくとも１つのプロセッサはまた、前記送信電力に関連付けられた制約によって、前記ＰＵＳＣＨをドロップするように構成された、請求項１７に記載の装置。
【請求項２２】
ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおけるレギュラ・データの送信、または、前記ＰＵＣＣＨの送信、のうちの少なくとも１つよりも高い優先度を有する、請求項１７に記載の装置。
【請求項２３】
前記少なくとも１つのプロセッサはまた、
前記信号のうち最も高い優先度を有する信号のうちの第１の信号を、前記キャリアのうちの第１のキャリアで送信し、
前記第１の信号よりも低い優先度を持つ信号のうちの１または複数を、前記第１のキャリアの無いキャリアのセットで送信する、
ように構成された請求項１３に記載の装置。
【請求項２４】
前記第１のキャリアによる物理アップリンク共有チャネル（ＰＵＳＣＨ）の送信は、前記セットからの１または複数のキャリアによるＰＵＳＣＨの送信よりも高い優先度を有する、請求項２３に記載の装置。
【請求項２５】
無線通信のための装置であって、
無線信号を送信するために割り当てられたキャリアの集合の優先度を決定する手段と、
前記優先度にしたがって、前記キャリアの集合のうちの複数のキャリアのための送信電力を調節する手段と、
前記送信電力にしたがって、１または複数のアンテナを用いて、前記キャリアのうちの１または複数で信号を送信する手段と、
を備える装置。
【請求項２６】
前記優先度を決定する手段は、前記キャリアの集合のうちの複数のキャリアのおのおののために、１または複数の優先レベルを選択する手段を備える、請求項２５に記載の装置。
【請求項２７】
前記優先度を決定する手段は、１または複数のアップストリーム・ネットワーク構成要素から前記優先度を受信する手段を備える、請求項２５に記載の装置。
【請求項２８】
前記送信電力を調節する手段は、前記キャリアのおのおのにおいてチャネルの送信電力を調節する手段を備える、請求項２５に記載の装置。
【請求項２９】
前記チャネルは、物理アップリンク制御チャネル（ＰＵＣＣＨ）および物理アップリンク共有チャネル（ＰＵＳＣＨ）を備える、請求項２８に記載の装置。
【請求項３０】
前記ＰＵＣＣＨは、前記ＰＵＳＣＨの前に、前記優先度にしたがって、前記１または複数のキャリアによる送信のために適合される、請求項２９に記載の装置。
【請求項３１】
前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、請求項２９に記載の装置。
【請求項３２】
前記ＰＵＳＣＨにおいて、データとともに、前記１または複数のキャリアで、制御情報を送信することは、前記ＰＵＳＣＨにおいて純粋なデータを送信することよりも高い優先度を有する、請求項２９に記載の装置。
【請求項３３】
前記送信電力に関連付けられた制約によって、前記ＰＵＳＣＨをドロップする手段をさらに備える、請求項２９に記載の装置。
【請求項３４】
ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおける前記レギュラ・データの送信、または、前記ＰＵＣＣＨの送信、のうちの少なく１つよりも高い優先度を有する、請求項２９に記載の装置。
【請求項３５】
前記送信する手段はさらに、
前記信号のうち最も高い優先度を有する信号のうちの第１の信号を、前記キャリアのうちの第１のキャリアで送信し、
前記第１の信号よりも低い優先度を持つ信号のうちの１または複数を、前記第１のキャリアの無いキャリアのセットで送信する、
ように構成された請求項２５に記載の装置。
【請求項３６】
前記第１のキャリアによる物理アップリンク共有チャネル（ＰＵＳＣＨ）の送信は、前記セットからの１または複数のキャリアによるＰＵＳＣＨの送信よりも高い優先度を有する、請求項３５に記載の装置。
【請求項３７】
コンピュータ・プログラム製品であって、
無線信号を送信するために割り当てられたキャリアの集合の優先度を決定することと、
前記優先度にしたがって、前記キャリアの集合のうちの複数のキャリアのための送信電力を調節することと、
前記送信電力にしたがって、１または複数のアンテナを用いて、前記キャリアのうちの１または複数で信号を送信することと、
のためのコードを備えたコンピュータ読取可能な媒体を備える、コンピュータ・プログラム製品。
【請求項３８】
前記コンピュータ読取可能な媒体はさらに、前記キャリアの集合のうちの複数のキャリアのおのおののために、１または複数の優先レベルを選択することのためのコードを備える、請求項３７に記載のコンピュータ・プログラム製品。
【請求項３９】
前記コンピュータ読取可能な媒体はさらに、１または複数のアップストリーム・ネットワーク構成要素から前記優先度を受信することのためのコードを備える、請求項３７に記載のコンピュータ・プログラム製品。
【請求項４０】
前記コンピュータ読取可能な媒体はさらに、前記キャリアのおのおのにおいてチャネルの送信電力を調節することのためのコードを備える、請求項３７に記載のコンピュータ・プログラム製品。
【請求項４１】
前記チャネルは、物理アップリンク制御チャネル（ＰＵＣＣＨ）および物理アップリンク共有チャネル（ＰＵＳＣＨ）を備える、請求項４０に記載のコンピュータ・プログラム製品。
【請求項４２】
前記ＰＵＣＣＨは、前記ＰＵＳＣＨの前に、前記優先度にしたがって、前記１または複数のキャリアによる送信のために適合される、請求項４１に記載のコンピュータ・プログラム製品。
【請求項４３】
前記ＰＵＣＣＨのアクノレッジメント／否定的アクノレッジメント（ＡＣＫ／ＮＡＣＫ）フィードバックが、前記ＰＵＣＣＨの他のフィードバック・タイプの前に、前記１または複数のキャリアによる送信のために適合される、請求項４１に記載のコンピュータ・プログラム製品。
【請求項４４】
前記ＰＵＳＣＨにおいて、データとともに、前記１または複数のキャリアで、制御情報を送信することは、前記ＰＵＳＣＨにおいて純粋なデータを送信することよりも高い優先度を有する、請求項４１に記載のコンピュータ・プログラム製品。
【請求項４５】
前記コンピュータ読取可能な媒体はさらに、前記送信電力に関連付けられた制約によって、前記ＰＵＳＣＨをドロップすることのためのコードを備える、請求項４１に記載のコンピュータ・プログラム製品。
【請求項４６】
ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおける前記レギュラ・データの送信、または、前記ＰＵＣＣＨの送信、のうちの少なくとも１つよりも高い優先度を有する、請求項４１に記載のコンピュータ・プログラム製品。
【請求項４７】
前記コンピュータ読取可能な媒体はさらに、
前記信号のうち最も高い優先度を有する信号のうちの第１の信号を、前記キャリアのうちの第１のキャリアで送信することと、
前記第１の信号よりも低い優先度を持つ信号のうちの１または複数を、前記第１のキャリアの無いキャリアのセットで送信することと、
のためのコードを備える、請求項３７に記載のコンピュータ・プログラム製品。
【請求項４８】
前記第１のキャリアによる物理アップリンク共有チャネル（ＰＵＳＣＨ）の送信は、前記セットからの１または複数のキャリアによるＰＵＳＣＨの送信よりも高い優先度を有する、請求項４７に記載のコンピュータ・プログラム製品。
【請求項４９】
無線通信のための方法であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
を備える方法。
【請求項５０】
前記優先度は、ネットワーク仕様から決定される、請求項４９に記載の方法。
【請求項５１】
前記優先度は、前の優先度に少なくとも部分的に基づく、請求項４９に記載の方法。
【請求項５２】
前記優先度は、制御チャネルに関連付けられた前記１または複数のキャリアのうちの少なくとも１つを、高い優先度として示す、請求項４９に記載の方法。
【請求項５３】
無線通信のための装置であって、
少なくとも１つのプロセッサと、前記少なくとも１つのプロセッサに接続されたメモリとを備え、
前記少なくとも１つのプロセッサは、
無線ネットワークにおいて信号を送信するために割り当てられた１または複数のキャリアの優先度を決定し、
前記１または複数のキャリアによって、信号を送信する１または複数の装置へ、前記優先度を送信する、
ように構成された装置。
【請求項５４】
前記優先度は、ネットワーク仕様から決定される、請求項５３に記載の装置。
【請求項５５】
前記優先度は、前の優先度に少なくとも部分的に基づく、請求項５３に記載の装置。
【請求項５６】
前記優先度は、制御チャネルに関連付けられた前記１または複数のキャリアのうちの少なくとも１つを、高い優先度として示す、請求項５３に記載の装置。
【請求項５７】
無線通信のための装置であって、
無線ネットワークにおいて信号を送信するために割り当てられた１または複数のキャリアの優先度を決定する手段と、
前記１または複数のキャリアによって、信号を送信する１または複数の装置へ、前記優先度を送信する手段と、
を備える装置。
【請求項５８】
前記優先度は、ネットワーク仕様から決定される、請求項５７に記載の装置。
【請求項５９】
前記優先度は、前の優先度に少なくとも部分的に基づく、請求項５７に記載の装置。
【請求項６０】
前記優先度は、制御チャネルに関連付けられた前記１または複数のキャリアのうちの少なくとも１つを、高い優先度として示す、請求項５７に記載の装置。
【請求項６１】
コンピュータ・プログラム製品であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
のためのコードを備えるコンピュータ読取可能な媒体を備える、コンピュータ・プログラム製品。
【請求項６２】
前記優先度は、ネットワーク仕様から決定される、請求項６１に記載のコンピュータ・プログラム製品。
【請求項６３】
前記優先度は、前の優先度に少なくとも部分的に基づく、請求項６１に記載のコンピュータ・プログラム製品。
【請求項６４】
前記優先度は、制御チャネルに関連付けられた前記１または複数のキャリアのうちの少なくとも１つを、高い優先度として示す、請求項６１に記載のコンピュータ・プログラム製品。
【発明の詳細な説明】
【優先権の主張】
【０００１】
本特許出願は、本特許出願の譲受人に譲渡され、本明細書において参照によって明確に組み込まれている２００９年１０月２１日出願の「アップリンク・マルチ電力増幅器／アンテナ動作およびチャネル優先付け」（Uplink multi-power amplifier/antenna operation and channel prioritization）と題された米国仮特許出願６１／２５３，７９６号の利益を主張する。
【技術分野】
【０００２】
本開示のある態様は、一般に、無線通信に関し、さらに詳しくは、送信電力の制御および送信キャリアの優先付けのための方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、ロング・ターム・イボリューション・アドバンスト（ＬＴＥ−Ａ）システム、および直交周波数分割多元接続（ＯＦＤＭＡ）システムを含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
さらに、端末は、１または複数の周波数キャリアによって基地局と通信しうる。説明するように、チャネルは、例えば、端末間で共有されうるデータ・チャネル、制御チャネル等のように、あるタイプのデータを送信するための１または複数のキャリアによって論理的に定義されうる。制御チャネルによって送信される制御データは、（例えば、ハイブリッド自動反復／要求（ＨＡＲＱ）のような）誤り訂正データ、チャネル品質インジケータ（ＣＱＩ）、プリコーディング行列インジケータ（ＰＭＩ）、ランク・インジケータ（ＲＩ）等を含む、１または複数のデータ・チャネルによる通信品質に関連しうる。ＨＡＲＱまたはその他の誤り訂正データは、例えば、通信を正しく受信したことのアクノレッジメント（ＡＣＫ）または否定的なアクノレッジメント（ＮＡＣＫ）をデータ・チャネルを介して送信することを含みうる。例えば、通信に関してＮＡＣＫが受信された場合、送信機は、正しい受信を保証するために、通信のすべてまたは一部を再送信しうる。
【発明の概要】
【０００８】
本開示のある態様は、無線通信のための方法を提供する。この方法は、一般に、無線信号を送信するために割り当てられたキャリアの集合の優先度を決定することと、この優先度にしたがって、キャリアの集合のうちの複数のキャリアのための送信電力を調節することと、この送信電力にしたがって、１または複数のアンテナを用いて、キャリアのうちの１または複数で信号を送信することと、を含む。
【０００９】
本開示のある態様は、無線通信のための装置を提供する。この装置は、一般に、少なくとも１つのプロセッサと、少なくとも１つのプロセッサに接続されたメモリとを含む。ここで、少なくとも１つのプロセッサは、無線信号を送信するために割り当てられたキャリアの集合の優先度を決定し、この優先度にしたがって、キャリアの集合のうちの複数のキャリアのための送信電力を調節し、この送信電力にしたがって、１または複数のアンテナを用いて、キャリアのうちの１または複数で信号を送信する、ように構成される。
【００１０】
本開示のある態様は、無線通信のための装置を提供する。この装置は、一般に、無線信号を送信するために割り当てられたキャリアの集合の優先度を決定する手段と、この優先度にしたがって、キャリアの集合のうちの複数のキャリアのための送信電力を調節する手段と、この送信電力にしたがって、１または複数のアンテナを用いて、キャリアのうちの１または複数で信号を送信する手段と、を含む。
【００１１】
本開示のある実施形態は、無線通信のためのコンピュータ・プログラム製品を提供する。このコンピュータ・プログラム製品は、一般に、無線信号を送信するために割り当てられたキャリアの集合の優先度を決定し、この優先度にしたがって、キャリアの集合のうちの複数のキャリアのための送信電力を調節し、この送信電力にしたがって、１または複数のアンテナを用いて、キャリアのうちの１または複数で信号を送信する、ためのコードを備えたコンピュータ読取可能な媒体を含む。
【００１２】
本開示のある態様は、無線通信のための方法を提供する。この方法は、一般に、無線ネットワークにおいて信号を送信するために割り当てられた１または複数のキャリアの優先度を決定することと、１または複数のキャリアによって、信号を送信する１または複数の装置へ、この優先度を送信することと、を含む。
【００１３】
本開示のある態様は、無線通信のための装置を提供する。この装置は、一般に、少なくとも１つのプロセッサと、少なくとも１つのプロセッサに接続されたメモリとを含む。この少なくとも１つのプロセッサは、無線ネットワークにおいて信号を送信するために割り当てられた１または複数のキャリアの優先度を決定し、１または複数のキャリアによって、信号を送信する１または複数の装置へ、この優先度を送信する、ように構成されている。
【００１４】
本開示のある態様は、無線通信のための装置を提供する。この装置は、一般に、無線ネットワークにおいて信号を送信するために割り当てられた１または複数のキャリアの優先度を決定する手段と、１または複数のキャリアによって、信号を送信する１または複数の装置へ、この優先度を送信する手段と、を含む。
【００１５】
本開示のある実施形態は、無線通信のためのコンピュータ・プログラム製品を提供する。このコンピュータ・プログラム製品は、一般に、無線ネットワークにおいて信号を送信するために割り当てられた１または複数のキャリアの優先度を決定し、１または複数のキャリアによって、信号を送信する１または複数の装置へ、この優先度を送信する、ためのコードを備えるコンピュータ読取可能な媒体を含む。
【図面の簡単な説明】
【００１６】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末のブロック図を例示する。
【図３】図３は、本開示のある態様にしたがう無線デバイスの例のブロック図を例示する。
【図４】図４は、本開示のある態様にしたがってキャリア優先付けおよび電力制御を容易にするシステムの例のブロック図を例示する。
【図５】図５は、本開示のある態様にしたがってユーザ機器（ＵＥ）において実行されうるブロックの例を概念的に例示する機能ブロック図である。
【図６】図６は、本開示のある態様にしたがってネットワーク・デバイスにおいて実行されうるブロックの例を概念的に例示する機能ブロック図である。
【発明を実施するための形態】
【００１７】
本開示のさまざまな態様は、添付図面を参照して以下により十分に記載される。しかしながら、本開示は、異なる多くの形態で具体化され、本開示を通じて示されたいかなる具体的な構成または機能にも限定されると解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外が追加された構成および機能を用いて実現されるこのような装置または方法をカバーすることが意図されている。本明細書で示された開示のあらゆる態様は、特許請求の範囲の１または複数の要素によって具体化されうる。
【００１８】
「典型的である」という単語は「例、事例、あるいは実例として役立つ」ことを意味するために本明細書で使用される。本明細書において「典型的」と記載されるいかなる態様も、他の態様に対して好適であるとか、有利であると必ずしも解釈される必要はない。
【００１９】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、そのうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２０】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）およびロング・ターム・イボリューション・アドバンスト（ＬＴＥ−Ａ）は、Ｅ−ＵＴＲＡを使用するＵＭＴＳの次代のリリースである。ＵＴＲＡ、Ｅ−ＵＴＲＡ、ＧＳＭ、ＵＭＴＳ、ＬＴＥ、およびＬＴＥ−Ａは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥ−Ａについて記載されており、ＬＴＥ−Ａ用語が以下の説明の多くで使用される。
【００２１】
シングル・キャリア周波数分割多元接続（ＳＣ−ＦＤＭＡ）は、送信機側においてシングル・キャリア変調を利用し、受信機側において周波数領域等値化を利用する技術である。ＳＣ−ＦＤＭＡは、ＯＦＤＭＡシステムと同様の性能および同じ全体複雑さを有する。しかしながら、ＳＣ−ＦＤＭＡ信号は、その固有のシングル・キャリア構造のために、より低い平均ピーク対電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。これは現在、３ＧＰＰ  ＬＴＥ、ＬＴＥ−Ａ、およびイボルブドＵＴＲＡにおけるアップリンク多元接続スキームのための動作前提である。
【００２２】
アクセス・ポイント（“ＡＰ”）は、ノードＢ、ラジオ・ネットワーク・コントローラ（“ＲＮＣ”）、ｅノードＢ（“ｅＮＢ”）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００２３】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器（“ＵＥ”）、ユーザ局、またはその他いくつかの用語として知られているか、または、実現されうるか、または、備えうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２４】
図１に示すように、１つの態様にしたがった多元接続無線通信システムが例示される。アクセス・ポイント１００（ＡＰ）は、１つのグループはアンテナ１０４、１０６を含み、別のグループはアンテナ１０８、１１０を含み、さらに別のグループはアンテナ１１２、１１４を含む複数のアンテナ・グループを含みうる。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２、１１４と通信している。ここで、アンテナ１１２、１１４は、順方向リンク１２０でアクセス端末１１６へ情報を送信し、逆方向リンク１１８でアクセス端末１１６から情報を受信する。アクセス端末１２２（ＡＴ）はアンテナ１０６、１０８と通信している。ここで、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２５】
通信するように設計された領域および／またはアンテナのおのおののグループはしばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００２６】
順方向リンク１２０、１２６による通信では、アクセス・ポイント１００の送信アンテナは、別のアクセス端末１１６、１２４のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２７】
図２は、複数入力複数出力（ＭＩＭＯ）システム２００における（アクセス・ポイントとしても知られている）送信機システム２１０および（アクセス端末としても知られている）受信機システム２５０の態様のブロック図である。送信機システム２１０では、多くのデータ・ストリーム用のトラフィック・データが、データ・ソース２１２から送信（ＴＸ）データ・プロセッサ２１４に提供される。
【００２８】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２９】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３０】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００３１】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３２】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００３３】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３４】
プロセッサ２７０は、上述したように、利用可能などの技術を利用するのかを定期的に決定する。さらに、プロセッサ２７０は、行列インデクス部およびランク値部を備えた逆方向リンク・メッセージを規定することができる。これら逆方向リンク・メッセージは、通信リンクおよび／または受信データ・ストリームに関するさまざまなタイプの情報を含みうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３５】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３６】
図３は、図１の無線通信システム内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、図１からのアクセス・ポイント１００でありうるか、または、アクセス端末１１６、１２２のうちの何れかでありうる。
【００３７】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含むことができるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令を実行可能とすることができる。
【００３８】
無線デバイス３０２は、無線デバイス３０２と遠隔位置との間でのデータの送信および受信を可能にする送信機３１０および受信機３１２を含むことができるハウジング３０８をも含みうる。送信機３１０および受信機３１２を、トランシーバ３１４に組み合わせることができる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３９】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４０】
無線デバイス３０２のさまざまな構成要素を、データ・バスに加えて電力バス、制御信号バス、およびステータス信号バスを含むことができるバス・システム３２２によってともに結合することができる。
【００４１】
本開示の態様では、論理無線通信チャネルが、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）を備えうる。ページング制御チャネル（ＰＣＣＨ）は、ページング情報を転送するＤＬ論理制御チャネルである。マルチキャスト制御チャネル（ＭＣＣＨ）は、１またはいくつかのマルチキャスト・トラフィック・チャネル（ＭＴＣＨ）のための、マルチメディア・ブロードキャストおよびマルチメディア・サービス（ＭＢＭＳ）スケジューリングと、制御情報とを送信するために使用されるポイント・トゥ・マルチポイントＤＬ論理制御チャネルである。一般に、ラジオ・リソース制御（ＲＲＣ）接続を確立した後、ＭＢＭＳを受信したユーザ端末によってのみＭＣＣＨが使用されうる。専用制御チャネル（ＤＣＣＨ）は、専用制御情報を送信するポイント・トゥ・ポイント双方向論理制御チャネルであり、ＲＲＣ接続を有するユーザ端末によって使用される。論理トラフィック・チャネルは、ユーザ情報の転送のために、１つのユーザ端末に特化されたポイント・トゥ・ポイント双方向チャネルである専用トラフィック・チャネル（ＤＴＣＨ）を備えうる。さらに、論理トラフィック・チャネルは、トラフィック・データを送信するポイント・トゥ・マルチポイントＤＬチャネルであるマルチキャスト・トラフィック・チャネル（ＭＴＣＨ）を備えうる。
【００４２】
伝送チャネルは、ＤＬチャネルとＵＬチャネルとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備えうる。ＰＣＨは、ユーザ端末における節電をサポートするために利用され（すなわち、不連続受信（ＤＲＸ）サイクルが、ネットワークによってユーザ端末へ示されうる）、セル全体にわたってブロードキャストされ、他の制御／トラフィック・チャネルのために使用されうる物理レイヤ（ＰＨＹ）リソースにマップされうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えうる。
【００４３】
ＰＨＹチャネルは、ＤＬチャネルおよびＵＬチャネルのセットを備えうる。
【００４４】
ＤＬ  ＰＨＹチャネルは以下を備えうる。共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）を備えうる。ＵＬ  ＰＨＹチャネルは以下を備えうる。物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、およびブロードバンド・パイロット・チャネル（ＢＰＩＣＨ）。
【００４５】
態様では、シングル・キャリア波形の低ＰＡＰＲ特性を維持するチャネル構造が提供される（任意の時間において、チャネルは、周波数的に隣接しているか、あるいは一定間隔で配置されている）。
【００４６】
ロング・ターム・イボリューション（ＬＴＥ−Ａ）アップリンク（ＵＬ）設計は、ＵＬ送信のシングル・キャリア特性の維持に対する例外を認めうる。ＵＬ送信の例は、図１における逆方向リンク１１８、１２４による送信、図２におけるアクセス端末２５０からシステム２１０への送信、および／または、図３における無線デバイス３０２から、関連付けられた基地局への送信、を含みうる。ＵＬ波形が厳密にシングル・キャリア周波数分割多元接続（ＳＣ−ＦＤＭＡ）ベースであるＬＴＥリリース８（Ｒｅｌ−８）では、ＵＬ送信のシングル・キャリア特性を維持するために、同時の物理レイヤ（ＰＨＹ）チャネルがドロップされうる。ＬＴＥ−Ａでは、最大送信電力に達しなければ、ＰＨＹチャネルはドロップされないことがありうる。このチャネル・ドロップおよび／または電力スケーリングは、合成送信電力が、利用可能な最大送信電力を上回った場合にしか実行されない。
【００４７】
ユーザ機器（ＵＥ）の動作レジームに依存して、使用されている電力増幅器（ＰＡ）、および／または、ＵＥのＰＡに関連付けられうるアンテナのおのおのにおいて、ＳＣ特性を維持することが望ましい場合がある。ＰＡのサブセットが、最大送信電力まで利用されうる一方、ＰＡの残りは電源をオフされうる。すべてのＰＡ／アンテナで、同じ情報が送信されうる。本開示の１つの態様では、もしも必要であり、可能であるならば、ＰＡの送信電力が、複数のチャネルで満たされうる。この場合、ＵＬ送信のＳＣ特性は壊れうる。態様では、ＰＡの送信電力は、チャネル優先度にしたがって満たされうる。
【００４８】
現在の開示のある態様は、電力が制限されたＵＥの場合、複数のキャリアによる物理アップリンク制御チャネル（ＰＵＣＣＨ）および物理アップリンク共有チャネル（ＰＵＳＣＨ）のための電力分配の方法をサポートする。単数および複数のＰＡ／アンテナを備えたＵＥの動作ポートがサポートされうる。
【００４９】
（電力制御およびチャネル優先付け）  
本明細書に記載された態様によれば、無線デバイスは、送信のためのキャリアの優先付けを行い、キャリアにわたって電力を制御しうる。例えば、高い優先度のデータは、電力が増加された高い優先度のキャリアで送信されうる。しかしながら、低い優先度のデータは、有効な送信を保証するために、例えば、ハイブリッド自動反復／要求（ＨＡＲＱ）で、または、その他の誤り訂正技術で、低い電力で送信されうる。
【００５０】
１つの態様では、キャリア優先度は、無線ネットワーク仕様によって定義されうる。別の態様では、ＵＥは、高い優先度のデータを送信するために、スケジュールされたＵＬキャリアの中から、高い優先度のキャリアを選択しうる。したがって、電力が制限されている場合、ＵＥは、１つのキャリア（または、恐らくはそれよりも多くのキャリア）を優先付け、遅延を許容できない高い優先度のデータを、このキャリアで送信しうる。一方、残りのデータは、ＨＡＲＱに依存する。
【００５１】
このアプローチはＲｅｌ−８概念から外れないかもしれない。例えば、Ｒｅｌ−８スケジューリングは、割り当てられたリソースのみを指定しうる。これは、ＵＥが有しうる別のトラフィック・フローに特有のものではない場合がある。したがって、スケジューラは、特定のキャリアにおいて特定のフローから得られる特定数のビットを考慮して割当を与えうるが、ＵＥは、与えられた割当を別の方法で利用しうる。これは、バッファ状態においてありうる相違によって、ＵＥとスケジューラ側に同じアルゴリズムが適用される場合であっても真実でありうる。さらに、割り当てられたリソースをフローにわたってどのように使用するかの解釈は異なりうる。
【００５２】
したがって、いくつかのキャリアにおいて割当を得ているＵＥが電力を制限されており、送信のためにスケジュールされた高い優先度のデータを有しているのであれば、ＵＥは、これらのデータを、これら割当のうちの１つで、可能な限り（または、必要とする限り）高い電力で送信し、その他のキャリア送信を行わない。（高優先度データ送信のために）どのキャリアが選択されようと、キャリアは、効果的に「高い優先度の」キャリアとなりうる。さらに、説明するように、キャリア優先度は、ネットワーク仕様において定義されうるか、そうではない場合には、無線ネットワークによって、あるいは、（例えば、前の使用、キャパシティ、利用可能なリソース等に基づいて）ＵＥへ無線ネットワーク・アクセスを提供する１または複数のデバイスによって制御されうる。例えば、「高優先度」キャリアによる物理アップリンク共有チャネル（ＰＵＳＣＨ）の送信は、１または複数のその他のキャリアによるＰＵＳＣＨの送信よりも高い優先度からなりうる。
【００５３】
態様によれば、ＵＥは、複数の電力増幅器と、これら電力増幅器に関連付けられたアンテナとを備えうる。この場合、無線ネットワークにおいてデータを効果的に送信するために、さまざまな電力増幅およびチャネル優先付けスキームが利用されうる。
【００５４】
図４は、無線ネットワークにおけるキャリア優先付けおよび電力制御を容易にするシステムの例を例示する。モバイル・デバイス、ＵＥ、アクセス端末、または、無線ネットワークにおいて通信する電力が制限された任意のデバイスでありうる無線デバイス４０２が提供される。無線デバイス４０２と通信しうるネットワーク・デバイス４０４もまた例示される。ネットワーク・デバイス４０４はさらに、アクセス・ポイント、アップストリーム・ネットワーク構成要素、または、無線デバイス４０２と通信する任意のデバイスでありうる。
【００５５】
無線デバイス４０２は、高優先度のトラフィック、低優先度のトラフィック、および／または、可変の優先度レベルのトラフィックを送信するために、１または複数のキャリアをランク付けするキャリア優先付け構成要素４０６と、それぞれの優先度レベルに基づいて、１または複数のキャリアでデータを送信するための１または複数のアンテナの送信電力を修正する電力調節構成要素４０８と、複数のアンテナを用いて、キャリアによって、適切な電力でデータを送信する送信構成要素４１０と、を備えうる。説明するように、キャリアは、例えばデータまたは制御チャネルのような論理的に定義されたチャネルに関連し、チャネルによって送信されたデータのタイプは、関連するキャリアのための優先度を決定する際に利用されうる。ネットワーク・デバイス４０４は、オプションとして、キャリア優先度を展開または受信し、この優先度を無線デバイス４０２へ送信する優先度通知構成要素を備えうる。
【００５６】
態様では、無線デバイス４０２は、ネットワーク・デバイス４０４とダイレクトに、または、１または複数の追加の構成要素を介して通信しうる。無線デバイス４０２は、例えば、１または複数の周波数キャリアによって、ネットワーク・デバイス４０４または他のデバイスへ信号を送信しうる。チャネルは、例えば、物理アップリンク・データ・チャネル（無線デバイス間で共有されうる）、アップリンク制御チャネル等のようなキャリアの集合によって論理的に定義されうる。キャリア優先付け構成要素４０６は、チャネル、および／または、チャネルを介して送信するデータに基づいて、チャネルに関連するキャリアをランク付けを行いうるか、および／または、高、低、またはその他の中間優先度のようなキャリアを指定しうる。
【００５７】
本開示の１つの態様では、キャリア優先付け構成要素４０６は、前の優先度、利用可能なリソース、チャネルによって送信されるデータの感度等に基づいて、キャリアの集合の優先度を維持しうる。電力調節構成要素４０８は、この優先度に基づいて、キャリアの集合によって、１または複数の信号のための１または複数の送信電力を選択しうる。そして、送信構成要素４１０は、選択された電力で、１または複数のアンテナを用いて、キャリアによって信号を送信しうる。
【００５８】
本開示の別の態様では、優先度通知構成要素４１２は、説明するように、キャリア優先度構成要素４０６に、ネットワーク指定されたキャリア優先度を提供しうる。優先付けスキームは、例えば、１または複数のアンテナによって送信されるべき、少なくとも２つのデータ・タイプに関連するように指定されうることが認識されるべきである。
【００５９】
本開示のある態様の場合、キャリア優先付け構成要素４０６および電力調節構成要素４０８は、キャリアの優先付けを行い、以下の手順にしたがって、電力が制限された無線デバイス４０２の場合、複数のキャリアによって、ＰＵＣＣＨおよびＰＵＳＣＨのための電力を分配しうる。
【００６０】
ＰＵＣＣＨは、まず、キャリアにわたって適合されうる。これは、キャリア優先度が定義された場合、おのおののキャリアの優先度にしたがって実行されうる。態様では、おのおののキャリアのために使用される電力の割合を決定するために、スケーリング・ファクタが定義されうる。キャリアにわたる一様の電力分配は、スケーリング係数が同じである特別な場合を表しうる。
【００６１】
明示的なキャリア優先度が定義されていない場合、この特定の順序における送信のために、以下のＰＵＣＣＨ構成要素が優先付けられうる。マルチキャリア・アクノレッジメント／否定的アクノレッジメント（ＡＣＫ／ＮＡＣＫ）フィードバック、シングル・キャリアＡＣＫ／ＮＡＣＫ（ここでは、ＭＩＭＯ  ＡＣＫ／ＮＡＣＫは、単一入力複数出力（ＳＩＭＯ）ＡＣＫ／ＮＡＣＫよりも高い優先度を有する）、ＣＱＩ／ＰＭＩ／ＲＩで多重化されたＡＣＫ／ＮＡＣＫ、スケジューリング要求（ＳＲ）、ランク・インジケータ（ＲＩ）、ＣＱＩ／ＰＭＩ（ここでは、広帯域ＣＱＩ／ＰＭＩが、サブ帯域ＱＩ／ＰＭＩよりも高い優先度を有する）、およびサウンディング基準信号。
【００６２】
明示的なキャリア優先度が定義されているのであれば、キャリア優先度に関わらず、すべてのキャリアのＡＣＫ／ＮＡＣＫフィードバックが、その他任意のフィードバック・タイプよりも前にキャリア優先度にしたがって適合されうる。例えば、より低い優先度を持つキャリアのＡＣＫ／ＮＡＣＫが、ＡＣＫ／ＮＡＣＫキャリアよりも高い優先度を持つ別のキャリアのＣＱＩフィードバックに優先しうる。これは、ＡＣＫ／ＮＡＣＫ送信のみを求めうる。その他のチャネルの場合、キャリア優先度が優先しうる。
【００６３】
ＰＵＳＣＨは、ＰＵＳＣＨ適合にしたがって、キャリアにわたって適合されうる。態様では、ＰＵＳＣＨ適合のために、一定の電力スケーリングで十分でありうる。優先度に基づく電力スケーリングは、遅延に敏感なトラフィック（キャリアにわたってサービス品質（ＱｏＳ）に敏感なスケジューリング）を伝送する「高優先度」キャリアが存在する場合に望ましい。本開示の１つの態様では、高優先度キャリアが、高い優先度を指定されるので、ＱｏＳに敏感なデータが、これらキャリアで伝送されうる。別の態様では、ＱｏＳに敏感なデータを持つキャリアは、レギュラ・キャリアしか表さない。これは、ＵＥ電力が制限されている場合、ＱｏＳに敏感なデータがそこで伝送されている場合、高優先度キャリアになりうる。
【００６４】
すべてのキャリアが同じ優先度である場合、データ送信のために割り当てられた電力は、キャリアにわたって一定にスケールされうる。データとともに多重化された制御情報がＰＵＳＣＨに存在する場合、ＰＵＳＣＨでデータとともに制御情報を送信することは、ＰＵＳＣＨで純粋なデータを送信することよりも優先付けられうる。さらに、送信電力制約によって要求される場合、ＰＵＳＣＨがドロップされ、ＰＵＣＣＨのみが送信されうる。さらに、ＰＵＳＣＨで送信されるラジオ・リソース制御（ＲＲＣ）および媒体アクセス制御（ＭＡＣ）シグナリング（例えば、電力ヘッドルーム・レポート、測定レポート等）は、１または複数の他のキャリアによるＰＵＳＣＨにおけるレギュラ・データの送信、アップリンク制御情報（ＵＣＩ）を伴うＰＵＳＣＨにおけるレギュラ・データの送信、または、ＰＵＣＣＨの送信、のうちの少なくとも１つよりも優先度を有する。
【００６５】
（単一および複数の電力増幅器を用いる動作）  
ＵＥにおける単一の電力増幅器（ＰＡ）実施および１または複数のキャリアによる送信の場合、送信電力制御およびチャネル優先付けのための前述したすべてのルールが、直接的に適用されうる。
【００６６】
電力調節構成要素４０８が、（例えば、複数のアンテナに関連付けられた）複数のＰＡのための電力を制御している場合、異なるタイプのデータが、複数のキャリアで同時に送信されうる。例えば、ＡＣＫは、ＡＣＫのために１つのアンテナを、および、その他のタイプのデータのためにその他のアンテナを用いて、あるいは、両方のタイプのデータのために両方のアンテナを用いる等によって、ＳＲＳ、ＣＱＩ等とともに送信されうる。一般に、別の例では、制御データは、ある電力で、１つのアンテナによって送信され、ユーザ・プレーン・データは、別の電力で、別のアンテナによって送信されうる。さまざまな送信の組み合わせが可能であり、これら例のサブセットが、本開示で示されている。
【００６７】
ＵＥ動作レジームに依存して、使用されているＰＡ／アンテナのおのおのにおけるアップリンク（ＵＬ）送信のシングル・キャリア（ＳＣ）特性を維持することが望ましい。ＰＡのサブセットは、利用可能な最大送信電力まで利用されうる。そして、ＰＡの残りは電源がオフされうる。送信ダイバーシティを達成するために、同じ情報が、すべてのＰＡ／アンテナで送信されうる。さらに、ビームフォーミングおよびサイクリック遅延ダイバーシティ（ＣＤＤ）が適用されうる。ＰＡの送信電力は、必要とされ、可能であるので、チャネル優先度にしたがって、複数のチャネルで満たされうる。しかしながら、これは、ＵＬ送信のＳＣ特性を壊すかもしれない。
【００６８】
ＰＨＹチャネルと利用可能なＰＡ／アンテナとの間の好適な送信組み合わせを発見するために、いくつかの反復が必要とされうる。本開示のある態様は、ＵＥにおける２つのＰＡ／アンテナの実装をサポートする。
【００６９】
態様では、ＡＣＫまたはＡＣＫ／ＳＲは、ＳＲＳとともに送信されうるか、または、ＳＲのみがＳＲＳと送信されうる。短縮フォーマットが許可されている場合（すなわち、同時ＡＮ−ＳＲＳフラグが、高次レイヤによって真に設定されている場合）、ＡＣＫまたはＡＣＫ／ＳＲまたはＳＲ、およびＳＲＳが、短縮フォーマットを用いて、両アンテナ／ＰＡで送信されうる。ＳＲを送信するために短縮フォーマット１が利用され、ＡＣＫを送信するために短縮フォーマット１ａ／１ｂが使用されうる。ＳＲＳは、設定によって、１または両方のアンテナで送信されうる。このアプローチは、ＵＬ送信のＳＣ特性を維持しうる。
【００７０】
一方、短縮フォーマットが許可されていない場合（すなわち、同時ＡＮ−ＳＲＳが高次レイヤによって偽に設定されている場合）、ＡＣＫまたはＡＣＫ／ＳＲまたはＳＲが、両アンテナ／ＰＡでレギュラ・フォーマットで送信されうる。十分な送信電力がある場合、ＳＲＳは、１または両方のアンテナ／ＰＡで送信されうる。そうではない場合、ＳＲＳがドロップされ、レギュラ・フォーマットＡＣＫが送信されうる。ＳＲを送信するためにレギュラ・フォーマット１が使用され、ＡＣＫを送信するためにフォーマット１ａ／１ｂが使用されうる。ＳＲＳは、設定によって、１つまたは両方のアンテナで送信されうる。レギュラ・フォーマットを用いてＡＣＫをＳＲＳとともに送信することは、ＵＬ送信のＳＣ特性を壊すかもしれないことが注目されるべきである。
【００７１】
態様では、ＡＣＫまたはＡＣＫ／ＳＲは、ＣＱＩと共に送信されうる。ＡＣＫまたはＡＣＫ／ＳＲおよびＣＱＩは、両方のアンテナ／ＰＡにおいて、個別のリソースで送信されうる。ＡＣＫを送信するためにレギュラ・フォーマット１ａ／１ｂが使用され、ＣＱＩを送信するためにレギュラ・フォーマット２が使用されうる。これは、ＵＬ送信のＳＣ特性を壊すかもしれない。
【００７２】
あるいは、ＡＣＫまたはＡＣＫ／ＳＲおよびＣＱＩは、個別のＰＡ／アンテナで送信されうる。レギュラ・フォーマット１ａ／１ｂは、１つのＰＡ／アンテナでＡＣＫを送信するために使用され、レギュラ・フォーマット２は、その他のＰＡ／アンテナでＣＱＩを送信するために使用されうる。同時ＡＮ−ＣＱＩが高次レイヤによって真に設定されている場合、ＡＣＫがさらに、ＣＱＩを伝送するＰＡで送信されうる。レギュラ・フォーマット２ａ／２ｂは、ＣＱＩ／ＡＣＫのために使用されうる。これは、ＵＬ送信のＳＣ特性を維持しうる。
【００７３】
態様では、ＳＲはＣＱＩと共に送信されるかもしれない。ＳＲとＣＱＩは、両方のＰＡ／アンテナにおいて個別のリソースで送信されうる。ＳＲを送信するためにレギュラ・フォーマット１が使用され、ＣＱＩを送信するためにレギュラ・フォーマット２が使用されうる。これは、ＵＬ送信のＳＣ特性を壊すかもしれない。あるいは、ＳＲとＣＱＩとが、個別のアンテナ／ＰＡで送信されうる。レギュラ・フォーマット１は、１つのＰＡ／アンテナで送信されるＳＲのために使用され、レギュラ・フォーマット２は、その他のＰＡ／アンテナで送信されるＣＱＩのために使用されうる。このアプローチは、ＵＬ送信のＳＣ特性を維持しうる。
【００７４】
態様では、ＳＲ／ＳＲＳは、ＣＱＩと共に送信されうる。ＳＲのために短縮フォーマットが許可されている場合、ＳＲ／ＳＲＳおよびＣＱＩが、両方のアンテナ／ＰＡにおいて、個別のリソースで送信されうる。短縮フォーマット１は、ＳＲとＳＲＳとの両方のために使用され、短縮フォーマット２は、ＣＱＩのために使用されうる。これは、ＵＬ送信のＳＣ特性を壊すかもしれない。
【００７５】
ＳＲのために短縮フォーマットが許可されていない場合、ＳＲ／ＳＲＳおよびＣＱＩは、個別のアンテナ／ＰＡで送信されうる。レギュラ・フォーマット１は、１つのＰＡ／アンテナでＳＲを送信するために使用され、レギュラ・フォーマット２は、その他のＰＡ／アンテナでＣＱＩを送信するために使用されうる。ＳＲＳは、設定によって１または両方のアンテナで送信されうる。これは、ＵＬ送信のＳＣ特性を壊すかもしれない。ＳＣ特性を維持するために、十分な送信電力がない場合、ＳＲＳはドロップされうる。
【００７６】
態様では、ＳＲＳは、ＣＱＩと共に送信されうる。送信電力制限が許すのであれば、ＣＱＩは、両方のアンテナ／ＰＡで送信され、ＳＲＳは、（ＳＲＳ設定によって）１または両方のアンテナ／ＰＡで送信されうる。ＣＱＩをＳＲＳとともに送信するためにレギュラ・フォーマット２が使用されうる。これは、ＵＬ送信のＳＣ特性を壊すかもしれない。十分な送信電力がない場合、ＳＣ特性が維持されながら、１または複数のＳＲＳがドロップされうる。
【００７７】
あるいは、ＳＲＳが１つのアンテナ／ＰＡで送信され、ＣＱＩがその他のアンテナ／ＰＡで送信されうる。１つのＰＡ／アンテナでのＣＱＩ送信のため、および、その他のＰＡ／アンテナでのＳＲＳ送信のために、フォーマット２が使用されうる。ＳＲＳのためのアンテナ送信スケジュールによって、ＳＲＳを伝送するＰＡ／アンテナが決定されうる。ＳＲＳが両アンテナで設定されており、ＣＱＩを送信するアンテナ／ＰＡにおいて利用可能な電力がある場合、ＳＲＳは、ＣＱＩと同時に送信されうる。そうではない場合、ＳＲＳはドロップされうる。ＳＲＳと同時にＣＱＩを送信することは、ＵＬ送信のＳＣ特性を壊すかもしれないことが注目されるべきである。
【００７８】
態様では、ＡＣＫまたはＡＣＫ／ＳＲは、ＳＲＳとともに、およびＣＱＩとともに送信されうる。短縮フォーマットが許可されている場合（すなわち、同時ＡＮ−ＳＲＳが高次レイヤによって真に設定されている場合）、ＡＣＫまたはＡＣＫ／ＳＲ、ＳＲ、およびＣＱＩが、両アンテナ／ＰＡにおいて個別のリソースで送信されうる。同時ＡＮ−ＣＱＩが高次レイヤによって真に設定されている場合、短縮フォーマット１ａ／１ｂがＡＣＫ送信のために使用され、短縮フォーマット２または２ａ／２ｂがＣＱＩ送信のために使用されうる。短縮フォーマット１ａ／１ｂを利用すること、および、ＳＲＳとＣＱＩとを同時に送信することは、ＵＬ送信のＳＣ特性を壊すかもしれない。十分な送信電力がない場合、ＳＲＳとＣＱＩとは、ドロップ／電力スケールが連続してなされうる。
【００７９】
別の態様では、短縮フォーマットが許可されている場合、ＡＣＫまたはＡＣＫ／ＳＲおよびＳＲＳが１つのアンテナ／ＰＡで送信され、ＣＱＩが別のアンテナ／ＰＡで送信されうる。短縮フォーマット１ａ／１ｂは、１つのアンテナ／ＰＡでＡＣＫおよびＳＲＳを送信するために使用され、短縮フォーマット２は、その他のアンテナ／ＰＡでＣＱＩを送信するために使用されうる。これは、ＵＬ送信のＳＣ特性を維持しうる。
【００８０】
さらに、同時ＡＮ−ＣＱＩが高次レイヤによって真に設定されている場合、ＡＣＫはＣＱＩを伝送するアンテナ／ＰＡで送信されうる。フォーマット２ａ／２ｂは、ＣＱＩ／ＡＣＫ送信のために使用されうる。ＳＲＳのためのアンテナ送信スケジュールによって、ＳＲＳを伝送するＰＡ／アンテナが決定されうる。ＳＲＳが両アンテナで設定されており、ＣＱＩとともにアンテナ／ＰＡで利用可能な電力がある場合、ＳＲＳは、ＣＱＩと同時に送信されうる。そうではない場合、ＳＲＳはドロップされうる。ＣＱＩとＳＲＳとを同時に送信することは、ＵＬ送信のＳＣ特性を壊すかもしれないことが注目されるべきである。
【００８１】
短縮フォーマットが許可されていない場合（すなわち、同時ＡＮ−ＳＲＳが高次レイヤによって偽に設定されている場合）、ＡＣＫまたはＡＣＫ／ＳＲ、ＳＲ、およびＣＱＩが、両アンテナ／ＰＡで個別のリソースで送信されうる。同時ＡＮ−ＣＱＩが高次レイヤによって真に設定されている場合、レギュラ・フォーマット１ａ／１ｂがＡＣＫ送信のために使用され、レギュラ・フォーマット２または２ａ／２ｂがＣＱＩ送信のために使用されうる。ＳＲＳとＣＱＩとの同時送信と共にレギュラ・フォーマット１ａ／１ｂを利用することは、ＵＬ送信のＳＣ特性を壊すかもしれない。十分な送信電力がない場合、ＳＲＳとＣＱＩとは、ドロップ／電力スケールが連続してなされうる。
【００８２】
あるいは、短縮フォーマットが許可されていない場合、ＡＣＫまたはＡＣＫ／ＳＲが１つのアンテナ／ＰＡで送信され、ＣＱＩが別のアンテナ／ＰＡで送信されうる。（同時ＡＮ−ＣＱＩフラグが高次レイヤによって真に設定されている場合、）レギュラ・フォーマット１ａ／１ｂが１つのアンテナ／ＰＡにおけるＡＣＫ送信のために使用され、レギュラ・フォーマット２または２ａ／２ｂがその他のＰＡ／アンテナにおけるＣＱＩ送信のために使用されうる。ＰＡのうちの１つで利用可能な電力がある場合、ＳＲＳはこのＰＡ／アンテナで同時に送信されうる。そうではない場合、ＳＲＳはドロップされうる。ＳＲＳを、ＣＱＩとともに、または、レギュラ・フォーマット１ａ／１ｂ  ＡＣＫとともに同時に送信することは、ＵＬ送信のＳＣ特性を壊すかもしれない。ＳＲＳのためのアンテナ送信スケジュールによって、ＳＲＳを伝送するＰＡ／アンテナが決定されうる。
【００８３】
態様では、ユーザ・データが、制御情報と共に送信されうる。ＡＣＫ／ＣＱＩはＰＵＣＣＨで送信され、制御およびデータの残りは、両方のアンテナ／ＰＡでＰＵＳＣＨで送信されうる。同時ＡＮ−ＳＲＳ設定に依存して、ＡＣＫ送信のために、レギュラまたは短縮フォーマット１ａ／１ｂが使用されうる。ＰＵＳＣＨでのバッファ・ステータス・レポート（ＢＳＲ）に加えて、ＰＵＣＣＨでは、ＳＲがＡＣＫとともに送信されうる。利用可能な十分な送信電力がない場合、ＰＵＳＣＨがドロップされうるか、電力スケールされうる。ＡＣＫとＣＱＩとの両方が存在する場合、上述したルールは、ＰＵＣＣＨのために適用されうる。
【００８４】
ＳＲＳは、両アンテナでの送信のために構成されうる。同時ＡＮ−ＳＲＳが高次レイヤによって偽に設定されており、利用可能な送信電力がまだある場合、ＳＲＳはＡＣＫと同時に送信されうる。そうではない場合、ＳＲＳはドロップされうる。レギュラ・フォーマットを用いてＡＣＫをＳＲＳと同時に送信することは、ＵＬ送信のＳＣ特性を壊すかもしれない。態様では、レギュラ・フォーマット１ａ／１ｂは、ＡＣＫ送信のために利用されうる。同時ＡＮ−ＳＲＳが高次レイヤによって真に設定されている場合、短縮ＡＣＫフォーマットおよびＳＲＳが、同時に送信されうる。短縮フォーマット１ａ／１ｂは、ＡＣＫのために使用されうる。
【００８５】
図７は、本開示のある態様にしたがって、無線デバイス（例えば、アクセス端末）において実行されるブロック５００の例を概念的に例示する機能ブロック図である。ブロック５００によって例示された動作は、例えば、図２からのアクセス端末２５０のプロセッサ（単数または複数）２６０および／または２７０において、および／または、図４からの無線デバイス４０２の回路（単数または複数）４０６、４０８、および／または４１０において実行されうる。
【００８６】
この動作は、ブロック５０２において、無線信号を送信するために割り当てられたキャリアの集合の優先度を決定することによって始まる。ブロック５０４では、アクセス端末が、この優先度にしたがって、キャリアの集合のうちの複数のキャリアのための送信電力を調節しうる。ブロック５０６では、アクセス端末は、この送信電力にしたがって、１または複数のアンテナを用いて、キャリアのうちの１または複数で信号を送信しうる。
【００８７】
態様では、優先度を決定することは、キャリアの集合のうちの複数のキャリアのおのおののために、１または複数の優先レベルを選択することを備える。別の態様では、優先度を決定することは、１または複数のアップストリーム・ネットワーク構成要素から優先度を受信することを備えうる。態様では、送信電力を調節することは、キャリアのおのおのにおいてチャネルの送信電力を調節することを備えうる。ここで、チャネルは、物理アップリンク制御チャネル（ＰＵＣＣＨ）および物理アップリンク共有チャネル（ＰＵＳＣＨ）を備えうる。
【００８８】
態様では、アクセス端末は、信号のうち最も高い優先度を有する信号のうちの第１の信号を、キャリアのうちの第１のキャリアで送信し、第１の信号よりも低い優先度を持つ信号のうちの１または複数を、第１のキャリアの無いキャリアのセットで送信しうる。さらに、第１のキャリアによる物理アップリンク共有チャネル（ＰＵＳＣＨ）の送信は、このセットからの１または複数のキャリアによるＰＵＳＣＨの送信よりも高い優先度を有しうる。
【００８９】
１つの構成では、無線通信のための装置４０２は、無線信号を送信するために割り当てられたキャリアの集合の優先度を決定する手段と、この優先度にしたがって、キャリアの集合のうちの複数のキャリアのための送信電力を調節する手段と、この送信電力にしたがって、１または複数のアンテナを用いて、キャリアのうちの１または複数で信号を送信する手段と、を含む。１つの態様では、前述の手段は、前述の手段によって詳述された機能を実行するように構成された回路４０６、４０８、４１０でありうる。別の態様では、前述の手段は、前述の手段によって記述された機能を実行するように構成されたモジュールまたは任意の装置でありうる。
【００９０】
図６は、本開示のある態様にしたがって、ネットワーク・デバイス（例えば、アクセス・ポイント）において実行されるブロック６００の例を概念的に例示する機能ブロック図である。ブロック６００によって例示された動作は、例えば、図２からのアクセス・ポイント２１０のプロセッサ（単数または複数）２２０および／または２３０において、および／または、図４からのネットワーク・デバイス４０４の回路４１２において実行されうる。
【００９１】
動作は、ブロック６０２において、無線ネットワークにおいて信号を送信するために割り当てられた１または複数のキャリアの優先度を決定することによって始まる。ブロック６０４では、アクセス・ポイントが、１または複数のキャリアによって、信号を送信する１または複数の装置へ、この優先度を送信しうる。態様では、優先度は、制御チャネルに関連付けられた１または複数のキャリアのうちの少なくとも１つを、高い優先度として示す。別の態様では、優先度は、ネットワーク仕様から決定されうる。まだ別の態様では、優先度は、前の優先度に少なくとも部分的に基づきうる。
【００９２】
１つの設定では、無線通信のための装置４０４は、無線ネットワークにおいて信号を送信するために割り当てられた１または複数のキャリアの優先度を決定する手段と、１または複数のキャリアによって、信号を送信する１または複数の装置へ、この優先度を送信する手段と、を含む。１つの態様では、前述の手段は、前述の手段によって詳述された機能を実行するように構成された回路４１２でありうる。別の態様では、前述の手段は、前述の手段によって記述された機能を実行するように構成されたモジュールまたは任意の装置でありうる。
【００９３】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００９４】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００９５】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００９６】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、および／または、そこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００９７】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９８】
本明細書に記載されるように、アイテムのリストのうちの「少なくとも１つ」と称する文言は、単数を含むこれらアイテムのうちの任意の組み合わせを称する。
【００９９】
例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【０１００】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014042301.tif 000003
【図２】
2014042301.tif 000004
【図３】
2014042301.tif 000005
【図４】
2014042301.tif 000006
【図５】
2014042301.tif 000007
【図６】
2014042301.tif 000008
【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
無線通信のための方法であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
を備える方法。
【請求項２】
前記優先度は、ネットワーク仕様から決定される、請求項１に記載の方法。
【請求項３】
前記優先度は、前の優先度に少なくとも部分的に基づく、請求項１に記載の方法。
【請求項４】
前記優先度は、制御チャネルに関連付けられた前記１または複数のキャリアのうちの少なくとも１つを、高い優先度として示す、請求項１に記載の方法。
【請求項５】
無線通信のための装置であって、
少なくとも１つのプロセッサと、前記少なくとも１つのプロセッサに接続されたメモリとを備え、
前記少なくとも１つのプロセッサは、
無線ネットワークにおいて信号を送信するために割り当てられた１または複数のキャリアの優先度を決定し、
前記１または複数のキャリアによって、信号を送信する１または複数の装置へ、前記優先度を送信する、
ように構成された装置。
【請求項６】
前記優先度は、ネットワーク仕様から決定される、請求項５に記載の装置。
【請求項７】
前記優先度は、前の優先度に少なくとも部分的に基づく、請求項５に記載の装置。
【請求項８】
前記優先度は、制御チャネルに関連付けられた前記１または複数のキャリアのうちの少なくとも１つを、高い優先度として示す、請求項５に記載の装置。
【請求項９】
無線通信のための装置であって、
無線ネットワークにおいて信号を送信するために割り当てられた１または複数のキャリアの優先度を決定する手段と、
前記１または複数のキャリアによって、信号を送信する１または複数の装置へ、前記優先度を送信する手段と、
を備える装置。
【請求項１０】
前記優先度は、ネットワーク仕様から決定される、請求項９に記載の装置。
【請求項１１】
前記優先度は、前の優先度に少なくとも部分的に基づく、請求項９に記載の装置。
【請求項１２】
前記優先度は、制御チャネルに関連付けられた前記１または複数のキャリアのうちの少なくとも１つを、高い優先度として示す、請求項９に記載の装置。
【請求項１３】
コンピュータ・プログラム製品であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
のためのコードを備えるコンピュータ読取可能な媒体を備える、コンピュータ・プログラム製品。
【請求項１４】
前記優先度は、ネットワーク仕様から決定される、請求項１３に記載のコンピュータ・プログラム製品。
【請求項１５】
前記優先度は、前の優先度に少なくとも部分的に基づく、請求項１３に記載のコンピュータ・プログラム製品。
【請求項１６】
前記優先度は、制御チャネルに関連付けられた前記１または複数のキャリアのうちの少なくとも１つを、高い優先度として示す、請求項１３に記載のコンピュータ・プログラム製品。
【手続補正２】
【補正対象書類名】明細書
【補正対象項目名】０１００
【補正方法】変更
【補正の内容】
【０１００】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］  無線通信のための方法であって、
無線信号を送信するために割り当てられたキャリアの集合の優先度を決定することと、
前記優先度にしたがって、前記キャリアの集合のうちの複数のキャリアのための送信電力を調節することと、
前記送信電力にしたがって、１または複数のアンテナを用いて、前記キャリアのうちの１または複数で信号を送信することと、
を備える方法。
［Ｃ２］  前記優先度を決定することは、前記キャリアの集合のうちの複数のキャリアのおのおののために、１または複数の優先レベルを選択することを備える、Ｃ１に記載の方法。
［Ｃ３］  前記優先度を決定することは、１または複数のアップストリーム・ネットワーク構成要素から前記優先度を受信することを備える、Ｃ１に記載の方法。
［Ｃ４］  前記送信電力を調節することは、前記キャリアのおのおのにおいてチャネルの送信電力を調節することを備える、Ｃ１に記載の方法。
［Ｃ５］  前記チャネルは、物理アップリンク制御チャネル（ＰＵＣＣＨ）および物理アップリンク共有チャネル（ＰＵＳＣＨ）を備える、Ｃ４に記載の方法。
［Ｃ６］  前記ＰＵＣＣＨは、前記ＰＵＳＣＨの前に、前記優先度にしたがって、前記１または複数のキャリアによる送信のために適合される、Ｃ５に記載の方法。
［Ｃ７］  前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、Ｃ５に記載の方法。
［Ｃ８］  前記ＰＵＳＣＨにおいて、データとともに、前記１または複数のキャリアで、制御情報を送信することは、前記ＰＵＳＣＨにおいて純粋なデータを送信することよりも高い優先度を有する、Ｃ５に記載の方法。
［Ｃ９］  前記送信電力に関連付けられた制約によって、前記ＰＵＳＣＨをドロップすることをさらに備える、Ｃ５に記載の方法。
［Ｃ１０］  ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおけるレギュラ・データの送信、または、前記ＰＵＣＣＨの送信、のうちの少なくとも１つよりも高い優先度を有する、Ｃ５に記載の方法。
［Ｃ１１］  前記送信することは、
前記信号のうち最も高い優先度を有する信号のうちの第１の信号を、前記キャリアのうちの第１のキャリアで送信することと、
前記第１の信号よりも低い優先度を持つ信号のうちの１または複数を、前記第１のキャリアの無いキャリアのセットで送信することと、
を備えるＣ１に記載の方法。
［Ｃ１２］  前記第１のキャリアによる物理アップリンク共有チャネル（ＰＵＳＣＨ）の送信は、前記セットからの１または複数のキャリアによるＰＵＳＣＨの送信よりも高い優先度を有する、Ｃ１１に記載の方法。
［Ｃ１３］  無線通信のための装置であって、
少なくとも１つのプロセッサと、前記少なくとも１つのプロセッサに接続されたメモリとを備え、
前記少なくとも１つのプロセッサは、
無線信号を送信するために割り当てられたキャリアの集合の優先度を決定し、
前記優先度にしたがって、前記キャリアの集合のうちの複数のキャリアのための送信電力を調節し、
前記送信電力にしたがって、１または複数のアンテナを用いて、前記キャリアのうちの１または複数で信号を送信する、
ように構成された装置。
［Ｃ１４］  前記少なくとも１つのプロセッサはまた、前記キャリアの集合のうちの複数のキャリアのおのおののために、１または複数の優先レベルを選択するように構成された、Ｃ１３に記載の装置。
［Ｃ１５］  前記少なくとも１つのプロセッサはまた、１または複数のアップストリーム・ネットワーク構成要素から前記優先度を受信するように構成された、Ｃ１３に記載の装置。
［Ｃ１６］  前記少なくとも１つのプロセッサはまた、前記キャリアのおのおのにおいてチャネルの送信電力を調節するように構成された、Ｃ１３に記載の装置。
［Ｃ１７］  前記チャネルは、物理アップリンク制御チャネル（ＰＵＣＣＨ）および物理アップリンク共有チャネル（ＰＵＳＣＨ）を備える、Ｃ１６に記載の装置。
［Ｃ１８］  前記ＰＵＣＣＨは、前記ＰＵＳＣＨの前に、前記優先度にしたがって、前記１または複数のキャリアによる送信のために適合される、Ｃ１７に記載の装置。
［Ｃ１９］  前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、Ｃ１７に記載の装置。
［Ｃ２０］  前記ＰＵＳＣＨにおいて、データとともに、前記１または複数のキャリアで、制御情報を送信することは、前記ＰＵＳＣＨにおいて純粋なデータを送信することよりも高い優先度を有する、Ｃ１７に記載の装置。
［Ｃ２１］  前記少なくとも１つのプロセッサはまた、前記送信電力に関連付けられた制約によって、前記ＰＵＳＣＨをドロップするように構成された、Ｃ１７に記載の装置。
［Ｃ２２］  ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおけるレギュラ・データの送信、または、前記ＰＵＣＣＨの送信、のうちの少なくとも１つよりも高い優先度を有する、Ｃ１７に記載の装置。
［Ｃ２３］  前記少なくとも１つのプロセッサはまた、
前記信号のうち最も高い優先度を有する信号のうちの第１の信号を、前記キャリアのうちの第１のキャリアで送信し、
前記第１の信号よりも低い優先度を持つ信号のうちの１または複数を、前記第１のキャリアの無いキャリアのセットで送信する、
ように構成されたＣ１３に記載の装置。
［Ｃ２４］  前記第１のキャリアによる物理アップリンク共有チャネル（ＰＵＳＣＨ）の送信は、前記セットからの１または複数のキャリアによるＰＵＳＣＨの送信よりも高い優先度を有する、Ｃ２３に記載の装置。
［Ｃ２５］  無線通信のための装置であって、
無線信号を送信するために割り当てられたキャリアの集合の優先度を決定する手段と、
前記優先度にしたがって、前記キャリアの集合のうちの複数のキャリアのための送信電力を調節する手段と、
前記送信電力にしたがって、１または複数のアンテナを用いて、前記キャリアのうちの１または複数で信号を送信する手段と、
を備える装置。
［Ｃ２６］  前記優先度を決定する手段は、前記キャリアの集合のうちの複数のキャリアのおのおののために、１または複数の優先レベルを選択する手段を備える、Ｃ２５に記載の装置。
［Ｃ２７］  前記優先度を決定する手段は、１または複数のアップストリーム・ネットワーク構成要素から前記優先度を受信する手段を備える、Ｃ２５に記載の装置。
［Ｃ２８］  前記送信電力を調節する手段は、前記キャリアのおのおのにおいてチャネルの送信電力を調節する手段を備える、Ｃ２５に記載の装置。
［Ｃ２９］  前記チャネルは、物理アップリンク制御チャネル（ＰＵＣＣＨ）および物理アップリンク共有チャネル（ＰＵＳＣＨ）を備える、Ｃ２８に記載の装置。
［Ｃ３０］  前記ＰＵＣＣＨは、前記ＰＵＳＣＨの前に、前記優先度にしたがって、前記１または複数のキャリアによる送信のために適合される、Ｃ２９に記載の装置。
［Ｃ３１］  前記ＰＵＣＣＨのアクノレッジメント／否定的アクノレッジメント（ＡＣＫ／ＮＡＣＫ）フィードバックが、前記ＰＵＣＣＨの他の何れかのフィードバック・タイプの前に、前記１または複数のキャリアによる送信のために適合される、Ｃ２９に記載の装置。
［Ｃ３２］  前記ＰＵＳＣＨにおいて、データとともに、前記１または複数のキャリアで、制御情報を送信することは、前記ＰＵＳＣＨにおいて純粋なデータを送信することよりも高い優先度を有する、Ｃ２９に記載の装置。
［Ｃ３３］  前記送信電力に関連付けられた制約によって、前記ＰＵＳＣＨをドロップする手段をさらに備える、Ｃ２９に記載の装置。
［Ｃ３４］  ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおける前記レギュラ・データの送信、または、前記ＰＵＣＣＨの送信、のうちの少なく１つよりも高い優先度を有する、Ｃ２９に記載の装置。
［Ｃ３５］  前記送信する手段はさらに、
前記信号のうち最も高い優先度を有する信号のうちの第１の信号を、前記キャリアのうちの第１のキャリアで送信し、
前記第１の信号よりも低い優先度を持つ信号のうちの１または複数を、前記第１のキャリアの無いキャリアのセットで送信する、
ように構成されたＣ２５に記載の装置。
［Ｃ３６］  前記第１のキャリアによる物理アップリンク共有チャネル（ＰＵＳＣＨ）の送信は、前記セットからの１または複数のキャリアによるＰＵＳＣＨの送信よりも高い優先度を有する、Ｃ３５に記載の装置。
［Ｃ３７］  コンピュータ・プログラム製品であって、
無線信号を送信するために割り当てられたキャリアの集合の優先度を決定することと、
前記優先度にしたがって、前記キャリアの集合のうちの複数のキャリアのための送信電力を調節することと、
前記送信電力にしたがって、１または複数のアンテナを用いて、前記キャリアのうちの１または複数で信号を送信することと、
のためのコードを備えたコンピュータ読取可能な媒体を備える、コンピュータ・プログラム製品。
［Ｃ３８］  前記コンピュータ読取可能な媒体はさらに、前記キャリアの集合のうちの複数のキャリアのおのおののために、１または複数の優先レベルを選択することのためのコードを備える、Ｃ３７に記載のコンピュータ・プログラム製品。
［Ｃ３９］  前記コンピュータ読取可能な媒体はさらに、１または複数のアップストリーム・ネットワーク構成要素から前記優先度を受信することのためのコードを備える、Ｃ３７に記載のコンピュータ・プログラム製品。
［Ｃ４０］  前記コンピュータ読取可能な媒体はさらに、前記キャリアのおのおのにおいてチャネルの送信電力を調節することのためのコードを備える、Ｃ３７に記載のコンピュータ・プログラム製品。
［Ｃ４１］  前記チャネルは、物理アップリンク制御チャネル（ＰＵＣＣＨ）および物理アップリンク共有チャネル（ＰＵＳＣＨ）を備える、Ｃ４０に記載のコンピュータ・プログラム製品。
［Ｃ４２］  前記ＰＵＣＣＨは、前記ＰＵＳＣＨの前に、前記優先度にしたがって、前記１または複数のキャリアによる送信のために適合される、Ｃ４１に記載のコンピュータ・プログラム製品。
［Ｃ４３］  前記ＰＵＣＣＨのアクノレッジメント／否定的アクノレッジメント（ＡＣＫ／ＮＡＣＫ）フィードバックが、前記ＰＵＣＣＨの他のフィードバック・タイプの前に、前記１または複数のキャリアによる送信のために適合される、Ｃ４１に記載のコンピュータ・プログラム製品。
［Ｃ４４］  前記ＰＵＳＣＨにおいて、データとともに、前記１または複数のキャリアで、制御情報を送信することは、前記ＰＵＳＣＨにおいて純粋なデータを送信することよりも高い優先度を有する、Ｃ４１に記載のコンピュータ・プログラム製品。
［Ｃ４５］  前記コンピュータ読取可能な媒体はさらに、前記送信電力に関連付けられた制約によって、前記ＰＵＳＣＨをドロップすることのためのコードを備える、Ｃ４１に記載のコンピュータ・プログラム製品。
［Ｃ４６］  ラジオ・リソース制御（ＲＲＣ）および媒体アクセス制御（ＭＡＣ）シグナリングの前記ＰＵＳＣＨの１または複数のキャリアによる送信は、１または複数の他のキャリアによる前記ＰＵＳＣＨにおけるレギュラ・データの送信、アップリンク制御情報（ＵＣＩ）を伴う、前記ＰＵＳＣＨにおける前記レギュラ・データの送信、または、前記ＰＵＣＣＨの送信、のうちの少なくとも１つよりも高い優先度を有する、Ｃ４１に記載のコンピュータ・プログラム製品。
［Ｃ４７］  前記コンピュータ読取可能な媒体はさらに、
前記信号のうち最も高い優先度を有する信号のうちの第１の信号を、前記キャリアのうちの第１のキャリアで送信することと、
前記第１の信号よりも低い優先度を持つ信号のうちの１または複数を、前記第１のキャリアの無いキャリアのセットで送信することと、
のためのコードを備える、Ｃ３７に記載のコンピュータ・プログラム製品。
［Ｃ４８］  前記第１のキャリアによる物理アップリンク共有チャネル（ＰＵＳＣＨ）の送信は、前記セットからの１または複数のキャリアによるＰＵＳＣＨの送信よりも高い優先度を有する、Ｃ４７に記載のコンピュータ・プログラム製品。
［Ｃ４９］  無線通信のための方法であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
を備える方法。
［Ｃ５０］  前記優先度は、ネットワーク仕様から決定される、Ｃ４９に記載の方法。
［Ｃ５１］  前記優先度は、前の優先度に少なくとも部分的に基づく、Ｃ４９に記載の方法。
［Ｃ５２］  前記優先度は、制御チャネルに関連付けられた前記１または複数のキャリアのうちの少なくとも１つを、高い優先度として示す、Ｃ４９に記載の方法。
［Ｃ５３］  無線通信のための装置であって、
少なくとも１つのプロセッサと、前記少なくとも１つのプロセッサに接続されたメモリとを備え、
前記少なくとも１つのプロセッサは、
無線ネットワークにおいて信号を送信するために割り当てられた１または複数のキャリアの優先度を決定し、
前記１または複数のキャリアによって、信号を送信する１または複数の装置へ、前記優先度を送信する、
ように構成された装置。
［Ｃ５４］  前記優先度は、ネットワーク仕様から決定される、Ｃ５３に記載の装置。
［Ｃ５５］  前記優先度は、前の優先度に少なくとも部分的に基づく、Ｃ５３に記載の装置。
［Ｃ５６］  前記優先度は、制御チャネルに関連付けられた前記１または複数のキャリアのうちの少なくとも１つを、高い優先度として示す、Ｃ５３に記載の装置。
［Ｃ５７］  無線通信のための装置であって、
無線ネットワークにおいて信号を送信するために割り当てられた１または複数のキャリアの優先度を決定する手段と、
前記１または複数のキャリアによって、信号を送信する１または複数の装置へ、前記優先度を送信する手段と、
を備える装置。
［Ｃ５８］  前記優先度は、ネットワーク仕様から決定される、Ｃ５７に記載の装置。
［Ｃ５９］  前記優先度は、前の優先度に少なくとも部分的に基づく、Ｃ５７に記載の装置。
［Ｃ６０］  前記優先度は、制御チャネルに関連付けられた前記１または複数のキャリアのうちの少なくとも１つを、高い優先度として示す、Ｃ５７に記載の装置。
［Ｃ６１］  コンピュータ・プログラム製品であって、
無線ネットワークにおいて信号を送信するために割り当てられた１または複数のキャリアの優先度を決定することと、
前記１または複数のキャリアによって、信号を送信する１または複数の装置へ、前記優先度を送信することと、
のためのコードを備えるコンピュータ読取可能な媒体を備える、コンピュータ・プログラム製品。
［Ｃ６２］  前記優先度は、ネットワーク仕様から決定される、Ｃ６１に記載のコンピュータ・プログラム製品。
［Ｃ６３］  前記優先度は、前の優先度に少なくとも部分的に基づく、Ｃ６１に記載のコンピュータ・プログラム製品。
［Ｃ６４］  前記優先度は、制御チャネルに関連付けられた前記１または複数のキャリアのうちの少なくとも１つを、高い優先度として示す、Ｃ６１に記載のコンピュータ・プログラム製品。
【外国語明細書】
2014042301000001.pdf